(57)【要約】【課題】  ワイヤの伸びを無段階で吸収でき、かつワイヤと開閉部材の相対的な移動を確実に防止する。【解決手段】  ウインドウガラス駆動装置は、スライダベース１上に設けられてワイヤ３の両ワイヤ部３Ａ，３Ｂの一端を引き込むことにより当該ワイヤ３の伸びを吸収するワイヤ伸び吸収装置５を備えている。ワイヤ伸び吸収装置５は、両ワイヤ部３Ａ，３Ｂの一端を係止する係止部材６Ａ，６Ｂと、係止部材６Ａ，６Ｂを収容するハウジング５１と、係止部材６Ａ，６Ｂとハウジング５１のガイド面５１ａ，５１ｂの間に介挿された楔状の楔部５４，５５を有し、ワイヤ引き込み方向と交差する方向に移動可能なワイヤ引き込み部材５３と、ワイヤ引き込み部材５３を常時、楔部５４，５５の先端５４２，５５２方向へ移動させるように付勢するコイルバネ５６とを備える。【選択図】        図４
2008031707.tif 000002
【特許請求の範囲】
【請求項１】
一端が開閉部材に連結された第１ワイヤ部および第２ワイヤ部を有するワイヤと、前記第１ワイヤ部の他端側を引き込みつつ前記第２ワイヤ部を送り出し、又は前記第１ワイヤ部を送り出しつつ前記第２ワイヤ部の他端側を引き込むワイヤ駆動部と、前記開閉部材に設けられ、少なくとも一方の前記ワイヤ部の一端を引き込むことにより前記ワイヤの伸びを吸収するワイヤ伸び吸収装置とを備え、前記ワイヤ駆動部による両ワイヤ部の引き込み又は送り出しにより、前記両ワイヤ部の一端を前記開閉部材の開閉方向へ移動させ、前記開閉部材を移動させる開閉部材駆動装置であって、前記ワイヤ伸び吸収装置は、前記ワイヤ部の一端を係止し、前記開閉部材に対してワイヤ引き込み方向に移動可能に設けられ、ワイヤ引き込み方向とは反対方向に面する当接面が形成された係止部材と、前記開閉部材に対して前記係止部材の移動方向と交差する方向に移動可能に設けられ、前記係止部材の当接面に当接する当接面が形成されたワイヤ引き込み部材と、前記ワイヤ引き込み部材を移動付勢する付勢部材とを備え、前記付勢部材による前記ワイヤ引き込み部材の移動に伴い当該ワイヤ引き込み部材に押されて前記係止部材がワイヤ引き込み方向に移動するように、前記係止部材と前記ワイヤ引き込み部材の当接面の少なくとも一方が、前記ワイヤ引き込み部材の移動方向に対して傾斜する傾斜面に形成されている開閉部材駆動装置。
【請求項２】
前記ワイヤ引き込み部材は楔状に成形された楔部を備え、当該楔部の一方の側面が前記傾斜面となっており、前記開閉部材前記楔部の他方の側面に摺接して当該楔部をその移動方向にガイドするガイド面が設けられている請求項１に記載の開閉部材駆動装置
【発明の詳細な説明】
【技術分野】
【０００１】
本発明は開閉部材駆動装置に関し、特に、ワイヤ駆動のパワーウインドウ装置等に好適に使用できる、ワイヤ伸び吸収装置を備えた開閉部材駆動装置に関するものである。
【背景技術】
【０００２】
この種の開閉部材駆動装置として、例えば特許文献１に示されるものがある。ここでは、開閉部材たるウインドウガラスをガイドレールに沿って昇降させるワイヤ駆動のパワーウインドウ装置において、ウインドウガラスと一体に上下動するスライダベース上に、コイルバネでワイヤ引き込み方向へ付勢されたガイドを設けて、当該ガイドの外周にワイヤ端部を沿わせ、ワイヤが伸びた場合には、上記コイルバネのバネ力でガイドを引き込み方向へ移動させてワイヤを引き込むことにより、その伸びを吸収している。しかしこれでは、ワイヤが強い力で引っ張られると、ガイドがバネ力に抗して戻り移動してワイヤが再び引き出され、この間はワイヤ駆動用の電動モータが回転してもスライダベースは移動せず、電動モータの回転量に基づきウインドウガラスの位置を算出する場合に、算出した位置と実際の位置に誤差が生じてしまう。
【０００３】
そこで、特許文献２では、ガイドレールに沿ってウインドウガラスと一体に上下動するスライダベース上に可動側ラチェット部材を設けてこれにワイヤの一端を固定し、可動側ラチェット部材をコイルバネのバネ力で引き込むことによって上記ワイヤの伸びを吸収するとともに、引き込んだワイヤ端部が再び引き出されるのを防止するために上記可動側ラチェット部材をスライダベース上に設けた固定側ラチェット部材に噛合させている。
【特許文献１】特開平５−２８０２４８
【特許文献２】特開２００１−３３６３５０
【発明の開示】
【発明が解決しようとする課題】
【０００４】
上記引用文献２に記載のワイヤ伸び吸収装置によれば、ワイヤ端部の戻り移動をラチェット機構によって防止して、ワイヤを駆動する電動モータの回転量に対するスライダベースの移動量の変動が生じないようにしている。しかし、この構造では、噛み合い量を増して上記戻り移動を確実に防止するためにラチェットの歯形を大きくすると、ワイヤの伸びが歯形ピッチよりも小さい間はワイヤ端部の戻り移動を規制することができず、電動モータの回転量に対するスライダベースの移動量が変動することが避けられないという問題があった。
【０００５】
そこで、本発明はこのような課題を解決するもので、ワイヤの伸びを無段階で吸収でき、かつワイヤと開閉部材の相対的な移動を確実に防止できる開閉部材駆動装置を提供することを目的とする。
【課題を解決するための手段】
【０００６】
上記目的を達成するために、本第１発明では、一端が開閉部材（Ｗ）に連結された第１ワイヤ部（３Ａ）および第２ワイヤ部（３Ｂ）を有するワイヤ（３）と、第１ワイヤ部（３Ａ）の他端側を引き込みつつ第２ワイヤ部（３Ｂ）を送り出し、又は第１ワイヤ部（３Ａ）を送り出しつつ第２ワイヤ部（３Ｂ）の他端側を引き込むワイヤ駆動部（４）と、開閉部材（Ｗ）に設けられ、少なくとも一方のワイヤ部の一端を引き込むことによりワイヤ（３）の伸びを吸収するワイヤ伸び吸収装置（５）とを備え、前記ワイヤ駆動部による両ワイヤ部（３Ａ，３Ｂ）の他端側の引き込み又は送り出しにより、両ワイヤ部（３Ａ，３Ｂ）の一端を開閉部材（Ｗ）の開閉方向へ移動させ、開閉部材（Ｗ）を移動させる開閉部材駆動装置であって、ワイヤ伸び吸収装置（５）は、ワイヤ部（３Ａ，３Ｂ）の一端（３４）を係止し、開閉部材（Ｗ）に対してワイヤ引き込み方向に移動可能に設けられ、ワイヤ引き込み方向とは反対方向に面する当接面（６２）が形成された係止部材（６Ａ，６Ｂ）と、開閉部材（Ｗ）に対して係止部材（６Ａ，６Ｂ）の移動方向と交差する方向に移動可能に設けられ、係止部材（６Ａ，６Ｂ）の当接面（６２）に当接する当接面（５４ａ，５５ａ）が形成されたワイヤ引き込み部材（５３）と、ワイヤ引き込み部材（５３）を移動付勢する付勢部材（５６）とを備え、付勢部材（５６）によるワイヤ引き込み部材（５３）の移動に伴い当該ワイヤ引き込み部材（５３）に押されて係止部材（６Ａ，６Ｂ）がワイヤ引き込み方向に移動するように、係止部材（６Ａ，６Ｂ）とワイヤ引き込み部材（５３）の当接面（６２，５４ａ，５５ａ）の少なくとも一方が、ワイヤ引き込み部材（５３）の移動方向に対して傾斜する傾斜面に形成されている。
【０００７】
本第１発明において、使用に伴いワイヤが伸びると、これに応じてワイヤ引き込み部材が付勢部材によって移動させられて、傾斜する当接面によって係止部材がワイヤ引き込み方向へ移動させられる。これにより、ワイヤの伸びが無段階で吸収される。この際、傾斜面とコイルバネの付勢力を、ワイヤ駆動部によりワイヤと係止部材を介してワイヤ引き込み部材に作用する力のワイヤ引き込み部材の移動方向の分力が、コイルバネ５６の付勢力よりも小さくなるように設定しておくことにより、ワイヤ引き込み部材の戻り移動は確実に防止される。これにより、ワイヤと開閉部材の相対的な移動が確実に防止される。
【０００８】
本第２発明では、上記ワイヤ引き込み部材（５３）は楔状に成形された楔部（５４，５５）を備え、当該楔部（５４，５５）の一方の側面（５４ａ，５５ａ）が上記傾斜面となっており、開閉部材（Ｗ）に楔部（５４，５５）の他方の側面（５３ａ，５３ｂ）に摺接して当該楔部（５４，５５）をその移動方向にガイドするガイド面（５１ａ，５１ｂ）が設けられている。
【０００９】
本第２発明においては、使用に伴いワイヤが伸びると、これに応じて楔部が付勢部材によってガイド部と係止部材の間に進入して、傾斜する側面によって係止部材がワイヤ引き込み方向へ移動させられる。これにより、ワイヤの伸びが無段階で吸収される。この際、傾斜面のとコイルバネの付勢力を、ワイヤ駆動部によりワイヤと係止部材を介してワイヤ引き込み部材に作用する力のワイヤ引き込み部材の移動方向の分力が、コイルバネ５６の付勢力よりも小さくなるように設定しておくことにより、ワイヤ引き込み部材の戻り移動は確実に防止される。これにより、ワイヤと開閉部材の相対的な移動が確実に防止される。
【００１０】
なお、上記カッコ内の符号は、後述する実施形態に記載の具体的手段との対応関係を示すものである。
【発明の効果】
【００１１】
以上のように、本発明の開閉部材駆動装置によれば、ワイヤの伸びを無段階で吸収でき、かつワイヤと開閉部材の相対的な移動を確実に防止することができる。
【発明を実施するための最良の形態】
【００１２】
図１には本発明が適用されたパワーウインドウ装置の概略正面図を示す。図１に示すように、車両のサイドドアＳＤは、内外のドアパネルで構成されたドア下半部ＳＤ１と、ドアサッシで縁取られドアウインドウ空間Ｓが形成されたドア上半部ＳＤ２とで構成されている。前後のドアサッシＨ１，Ｈ２は互いに平行にガイドレールとしてドア下半部ＳＤ１内に延び、これらガイドレールＨ１，Ｈ２に前後端を支持されて上下動可能に、上記ドアウインドウ空間Ｓと略同形の、開閉部材としてのウインドウガラスＷが配設されている。ウインドウガラスＷは、ドア下半部ＳＤ１内に設けられた以下に説明するウインドウガラス駆動装置により開閉することができる。
【００１３】
ウインドウガラスＷの下辺中央にはスライダベース１が固定されており、当該スライダベース１は、前後のガイドレールＨ１，Ｈ２に平行にドア下半部ＳＤ１内に上下方向へ配設されたガイドレール２に、これに沿って移動可能に装着されている。スライダベース１には後述するワイヤ伸び吸収装置を介してワイヤ３が連結されている。ワイヤ３は第１ワイヤ部３Ａおよび第２ワイヤ部３Ｂを有しており、両ワイヤ部３Ａ，３Ｂの一端がスライダベース１に連結されている。両ワイヤ部３Ａ，３Ｂの他端はワイヤ駆動部４に連結されている。ワイヤ駆動部４は、第１ワイヤ部３Ａの他端側を引き込みつつ第２ワイヤ部３Ｂを送り出し、又は第１ワイヤ部３Ａを送り出しつつ第２ワイヤ部３Ｂの他端側を引き込むことができる。ガイドレール２の上端及び下端近傍には、各ワイヤ部３Ａ，３Ｂが巻き掛けられ、各ワイヤ部３Ａ，３Ｂの一端側の部分をガイドレール２に沿うように案内するガイドローラ２１，２２が設けられている。このような構造により、ワイヤ駆動部４によって両ワイヤ部３Ａ，３Ｂの他端側が引き込まれ又は送り出されると、両ワイヤ部３Ａ，３Ｂの一端がガイドレール２に沿って移動し、ワイヤ３の引っ張り力などの作用でスライダベース１とこれと一体のウインドウガラスＷが上下動させられて、ドアウインドウ空間Ｓが開閉される。
【００１４】
ウインドウガラス駆動装置の詳細を図２に示す。図２に示すように、ガイドレール２は、ブラケット２Ａ，２Ｂを介してドア下半部ＳＤ１のパネルに取付けられている。ガイドローラ２１，２２はブラケット２Ａ，２Ｂに取付けられている。ワイヤ伸び吸収装置５はスライダベース１の板面に設けられている。  ワイヤ駆動部４は、電動モータ４２と、この電動モータ４２によって正逆回転させられるドラム４１と、ドラム４１を収容するケース４３を備えている。ドラム４１には第１ワイヤ部３Ａの端部と第２ワイヤ部３Ｂの端部が連結されており、ドラム４１は、その一方向の回転により第１ワイヤ部３Ａを巻き取るとともに第２ワイヤ部分３Ｂを送り出し、他方向の回転により第１ワイヤ部３Ａを送り出すとともに第２ワイヤ部３Ｂを巻き取るようになっている。なお、ワイヤ３は、両ワイヤ部３Ａ，３Ｂで分割されていても、一本のワイヤで構成されていても良い。各ガイドローラ２１，２２とワイヤ駆動部４との間には、各ワイヤ部３Ａ、３Ｂが挿通するアウタケース３１Ａ、３１Ｂが設けられている。アウタケース３１Ａ，３１Ｂは可撓性を有する筒状の部材で、一端がブラケット２Ａ，２Ｂに固定され、他端はワイヤ駆動部４のケース４３に固定されている。ケース４３には各ワイヤ部３Ａ、３Ｂを通してアウタケース３１Ａ、３１Ｂに導くための貫通孔が形成されている。
【００１５】
図３にはワイヤ伸び吸収装置５の斜視図を示し、図４にはその水平断面図を、図５にはその端面図を示す。なお、ワイヤ伸び吸収装置５はスライダベース１の裏面側に設けられており、図３、図４はそれぞれ裏面側から見たものである。図３〜５に示すように、ワイヤ伸び吸収装置５は、スライダベース１の板面側へ開放する半容器状で、車両側面視で長方形をなすハウジング５１を備えている。ハウジング５１は、側壁と底壁とから成るハウジング本体部５１１と、側壁の縁より外方へ延出するフランジ部５１２を有しており、ハウジング本体部５１１の長手方向がスライダベース１の移動方向と直角をなすように配置されている。以下、スライダベース１の移動方向を上下方向とし、ハウジングの長手方向を左右方向として説明する。ハウジング５１はフランジ部５１２でスライダベース１に固定されている。ハウジング５には、その左右方向の略中央位置に、上下方向にハウジング本体部５１１を横切ってフランジ部５１２に至る一定幅のガイド開口５２が形成されている。
【００１６】
ハウジング５１内にはワイヤ引き込み部材５３が挿置されている。ワイヤ引き込み部材５３は、左右方向の長さがハウジング５１の略半分の厚肉矩形板体である。ワイヤ引き込み部材５３の板面中央には台形でその高さ方向が左右方向になるように配置された開口５３１が形成されてがおり、この開口５３１によってワイヤ引き込み部材５３の上下両側部にそれぞれ楔部５４，５５が形成されている。両楔部５４，５５は対称形状で、ワイヤ引き込み部材５３の上下の内側面が構成するその一側面が当接面５４ａ，５５ａとなり、ワイヤ引き込み部材５３の上下の外側面が構成するその他側面がガイド面５３ａ，５３ｂとなっている。楔部５４，５５の当接面５４ａ，５５ａはワイヤ引き込み部材５３の左右方向の一端５３２（図４）から他端５３３へ向けて外側へ傾斜している。楔部５４，５５のガイド面５３ａ，５３ｂは左右方向に平行である。これにより、楔部５４，５５は基端５４１，５５１が広幅でこれより先端５４２，５５２に向けて漸次狭幅の楔形状となっている。楔部５４，５５のガイド面５３ａ，５３ｂはハウジング５１の上下側壁の内面が構成するガイド面５１ａ，５１ｂに摺動可能に接しており、これによりワイヤ引き込み部材５３、すなわち楔部５４，５５が左右方向に移動するように案内されている。また、楔部５４，５５には上下方向に貫通し左右方向に延びる貫通孔５４３，５５３が形成されている。
ワイヤ引き込み部材５３の一端５３２側の端面からは軸部５３４が突出して、コイルバネ５６に嵌合している。コイルバネ５６は一端が、ハウジング５１の側壁に突設した筒状ホルダ５１３の閉鎖端面に当接するとともに、他端はワイヤ引き込み部材５３の一端５３２側の側面に当接して圧縮状態となっており、その付勢力によってワイヤ引き込み部材５３はその他端５３３側（すなわち楔部５４，５５の先端５４２，５５２側）へ付勢されている。
【００１７】
各楔部５４，５５の当接面５４ａ，５５ａにこれと対向する当接面６２を摺動可能に当接させて係止部材６Ａ，６Ｂがワイヤ引き込み部材５３の開口５３１内に配設されている。各係止部材６Ａ，６Ｂの一端はワイヤ引き込み部材５３の開口５３１から突出してハウジング５１のガイド開口５２内へ達しており、これにより、係止部材６Ａ，６Ｂの移動方向はガイド開口５２に沿う方向に制限されている。ここで、各係止部材６Ａ，６Ｂには楔部５４，５５に接する当接面６２側とは反対側の側面に凹陥部６１が形成されている。ガイド開口５２の上下両端部と各楔部５４，５５の貫通孔５４３，５５３を経て第１ワイヤ部３Ａと第２ワイヤ部３Ｂの一端がハウジング５１内に引き入れられており、これら両ワイヤ部３Ａ，３Ｂの一端に取着された球状係止体３４が各係止部材６Ａ，６Ｂの凹陥部６１内に嵌合し、両ワイヤ部３Ａ，３Ｂの一端が係止部材６Ａ，６Ｂに係止されている。各楔部５４，５５は各係止部材６Ａ，６Ｂとハウジング５１のガイド面５１ａ，５１ｂとの間に進入するように付勢されているから、各係止部材６Ａ，６Ｂは楔部５４，５５の傾斜する当接面５４ａ、５５ａによって押され、互いに接近する方向、すなわちハウジング５１内へ引き込まれる方向へ付勢されて、ワイヤ３に張力を付与している。
【００１８】
使用に伴いワイヤ３が伸びると、図６に示すように、これに応じて各楔部５４，５５が、コイルバネ５６の付勢力によって各係止部材６Ａ，６Ｂとハウジング５１のガイド面５１ａ，５１ｂとの間にさらに進入して、係止部材６Ａ，６Ｂがハウジング５１内へさらに引き込まれ、ワイヤ３に張力が付与されて弛みを生じるのが防止される。このようにして、ワイヤの伸びが無段階で吸収される。そして、この際、楔部５４，５５の当接面５４ａ、５５ａの、上記ハウジング５１のガイド面５１ａ，５１ｂ、すなわちワイヤ引き込み部材５３の移動方向に対する傾斜角θ（図４）とコイルバネの付勢力を、ワイヤ駆動部４によりワイヤ３と係止部材６Ａ，６Ｂを介してワイヤ引き込み部材５３に作用する力の左右方向の分力が、コイルバネ５６の付勢力よりも小さくなるように設定しておけば、ワイヤ引き込み部材６Ａ，６Ｂの戻り移動は確実に防止される。なお、傾斜角θを小さくするほどコイルバネの付勢力を小さくすることができる。これにより、ワイヤ駆動部４の電動モータ４２の回転量に対するスライダベース１の実際の移動量は常に正確に一致させられて変動することはないから、ワイヤ３とウインドウガラスＷの相対的な移動が確実に防止されて、ウインドウガラスＷの開閉移動が正確に行われる。
【００１９】
本実施形態においては、ワイヤ３の各端部３４をそれぞれ楔部５４，５５によって同量だけハウジング５１内へ引き込むようにしているから、楔部を一方だけに設けるのに比してコイルバネ５６の伸張量に対してワイヤ３の引き込み量を２倍にすることができる。もちろん楔部を一方のみに設ける構造としても従来のものに比して十分な効果を得ることはできる。なお、上記実施形態におけるワイヤ引き込み部材５３の当接面５４ａ，５５５ａに代えて、係止部材６Ａ，６Ｂの当接面６２を傾斜面としても良い。また、本実施形態においてはウインドウガラスＷにスライダベース１を介してワイヤ伸び吸収装置を取付けたが、ウインドウガラスＷなどの開閉部材がスライダベース等の移動部材を介することなく支持される構造の開閉駆動装置においては、ワイヤ伸び吸収装置を開閉部材に直接取付けても良い。また、本実施形態においてはワイヤ引き込み部材５３の当接面５４ａ，５５ａと係止部材６Ａ，６Ｂの当接面６２のうち、ワイヤ引き込み部材５３の当接面５４ａ，５５ａのみを傾斜面としたが、係止部材６Ａ，６Ｂの当接面６２のみを傾斜面としても良いし、両方を傾斜面としても良い。
【図面の簡単な説明】
【００２０】
【図１】本発明の一実施形態を示すパワーウインドウ装置の概略正面図である。
【図２】パワーウインドウ装置のワイヤ駆動部の詳細を示す正面図である。
【図３】ワイヤ伸び吸収装置の斜視図である。
【図４】ワイヤ伸び吸収装置の水平断面図である。
【図５】ワイヤ伸び吸収装置の端面図である。
【図６】ワイヤ伸び吸収装置作動時の水平断面図である。
【符号の説明】
【００２１】
１…スライダベース、２…ガイドレール、３…ワイヤ、３Ａ…第１ワイヤ部、３Ｂ…第２ワイヤ部、３２…一端、３３…他端、４…ワイヤ駆動機構、５…ワイヤ伸び吸収装置、５１…ハウジング、５１ａ，５１ｂ…ガイド面、５３…ワイヤ引き込み部材、５３ａ，５３ｂ…当接面、５４，５５…楔部、５４ａ，５５ａ…当接面、５４２，５５２…先端、５６…コイルバネ（付勢手段）、６Ａ，６Ｂ…係止部材、Ｗ…ウインドウガラス（開閉部材）。
【図１】
2008031707.tif 000003
【図２】
2008031707.tif 000004
【図３】
2008031707.tif 000005
【図４】
2008031707.tif 000006
【図５】
2008031707.tif 000007
【図６】
2008031707.tif 000008